(57)【要約】【課題】  ２本の信号だけでインターロックスイッチの状態を簡単に検知することが可能なスイッチ回路を提供する。【解決手段】  同一電源の出力側に対して直列に接続され、装置内部を保護するために設けられているカバーの開閉動作に連動して前記電源を導通、遮断する第インターロックスイッチ３、４とを備えるスイッチ回路であって、プルダウン抵抗６を有し、インターロックスイッチ３の出力を検出する前段信号線９と、プルダウン抵抗５を有し、インターロックスイッチ４の出力を検出する後段信号線８と、インターロックスイッチ３のオープン端子３−１と、インターロックスイッチ４のオープン端子４−１間を接続する端子間抵抗７とを備え、プルダウン抵抗６と端子間抵抗７により分圧したレベルからインターロックスイッチ３のスイッチ状態を判断できるようにした。【選択図】        図１
2006301041.tif 000002
【特許請求の範囲】
【請求項１】
同一電源の出力側に対して直列に接続され、装置内部を保護するために設けられているカバーの開閉動作に連動して前記電源を導通、遮断する第１及び第２のスイッチとを備えるスイッチ回路であって、
第１のプルダウン抵抗を有し、前記電源の出力側に設けられている前記第１のスイッチの出力を検出する第１の検出手段と、第２のプルダウン抵抗を有し、前記第２のスイッチの出力を検出する第２の検出手段と、前記第１のスイッチのオープン端子と、前記第２のスイッチのオープン端子間を接続する端子間抵抗と、を備え、前記第１のプルダウン抵抗と前記端子間抵抗により分圧したレベルから前記第１のスイッチのスイッチ状態を判断することを特徴とするスイッチ回路。
【請求項２】
請求項１に記載のスイッチ回路において、異なる基準電圧を有する複数の二値化手段を備え、前記第１の検出手段により検出された検出信号を前記二値化手段により複数の基準電圧と比較することで、前記第１及び第２のスイッチのスイッチ状態を判断することを特徴とするスイッチ回路。
【請求項３】
請求項１に記載のスイッチ回路において、前記第１の検出手段により検出した検出信号をデジタルデータに変換するＡ／Ｄコンバータを備え、前記Ａ／Ｄコンバータにより前記検出信号をＡ／Ｄ変換して複数の基準データと比較することで、前記第１及び第２のスイッチのスイッチ状態を判断することを特徴とするスイッチ回路。
【請求項４】
請求項１乃至請求項３の何れか一項に記載のスイッチ回路を備えていることを特徴とする画像形成装置。
【発明の詳細な説明】
【技術分野】
【０００１】
本発明は、例えば本体部のカバーが開いたり、ずれたりしたときに電源供給を遮断するスイッチ回路、及びスイッチ回路を備えた画像形成装置に関する。
【背景技術】
【０００２】
図５は第１の従来例に係るインターロックスイッチ回路の構成図である。電源１と電装品本体２の間に、例えば電装品のカバーが開いたり、ずれたりしたときに電源供給を遮断するインターロックスイッチ３、４が直列接続されている。電装品のカバーが開くと、これに連動してインターロックスイッチ３、４がＯＦＦされるしくみになっている。それにより、電装品への電源供給が遮断され、装置の安全性が保証される。
また、信号Ａはインターロックスイッチ３、４のＯＮ／ＯＦＦを検知するための信号であり、インターロックスイッチ３、４が両方ともＯＮの時はＨレベルになり、どちらかのインターロックスイッチがＯＦＦされると、プルダウン抵抗５によって信号ＡはＬレベルになる。
従って、信号Ａのレベルをモニタすることでインターロックスイッチ３、４のＯＮ／ＯＦＦを検知することができる。しかしながら、図５の構成では、どちらのインターロックスイッチがＯＦＦしたかを判断することはできない。
図６（１）〜（４）は第２の従来例に係るインターロックスイッチ回路の構成図である。（１）〜（４）はインターロックスイッチの各ＯＮ／ＯＦＦ状態を示す。この構成においては、インターロックスイッチ４にオープン端子がついており、信号Ｂにてモニタすることが可能になっている。符号６はプルダウン抵抗である。
従って、信号Ａと信号Ｂのレベルをモニタすることで、図７に示すようにインターロックスイッチ３、４の状態を判断することができる。この場合、インターロックスイッチ３の状態は確実に判断できるが、状態Ｎｏ．３と状態Ｎｏ．４の区別、即ちインターロックスイッチ３がＯＦＦのときはインターロックスイッチ４のＯＮ、ＯＦＦ状態を区別することができないため、この時のインターロックスイッチ４の状態を判断することはできない。
図８（１）〜（４）は第３の従来例に係るインターロックスイッチ回路の構成図である。この構成においては、インターロックスイッチ３にオープン端子がついており、信号Ｂにてモニタすることが可能になっている。
従って、信号Ａと信号Ｂのレベルをモニタすることで、図９に示すようにインターロックスイッチ３、インターロックスイッチ４の状態を判断することができる。この場合も、インターロックスイッチ３の状態は確実に判断できるが、上記同様状態Ｎｏ．３と状態Ｎｏ．４の区別ができないため、この時のインターロックスイッチ４の状態を判断することはできない。
またインターロックスイッチ回路において、従来から２つの信号に異なる定数のＲＣフィルタを接続して、ＲＣ時定数による遷移時間の違いにより、インターロックスイッチの状態を検知する技術が提案されている（例えば、特許文献１参照）。
【特許文献１】特開平２００３−３２０７３１公報
【発明の開示】
【発明が解決しようとする課題】
【０００３】
しかしながら、上記従来技術の場合、信号の遷移時間の違いから各インターロックスイッチの状態を検知しているため、常時ソフトが信号レベルを監視しなければならず、ソフトの負荷が大きくなってしまう。また、チャタリング等のノイズの影響も受け易いという欠点があった。
本発明は、２本の信号だけでインターロックスイッチの状態を簡単に検知することが可能なインターロックスイッチ回路を提供することを目的とする。
【課題を解決するための手段】
【０００４】
上記目的を達成するために、請求項１に記載の発明は、同一電源の出力側に対して直列に接続され、装置内部を保護するために設けられているカバーの開閉動作に連動して前記電源を導通、遮断する第１及び第２のスイッチとを備えるスイッチ回路であって、第１のプルダウン抵抗を有し、前記電源の出力側に設けられている前記第１のスイッチの出力を検出する第１の検出手段と、第２のプルダウン抵抗を有し、前記第２のスイッチの出力を検出する第２の検出手段と、前記第１のスイッチのオープン端子と、前記第２のスイッチのオープン端子間を接続する端子間抵抗と、を備え、前記第１のプルダウン抵抗と前記端子間抵抗により分圧したレベルから前記第１のスイッチのスイッチ状態を判断することを特徴とする。
請求項２に記載の発明は、請求項１に記載のスイッチ回路において、異なる基準電圧を有する複数の二値化手段を備え、前記第１の検出手段により検出された検出信号を前記二値化手段により複数の基準電圧と比較することで、前記第１及び第２のスイッチのスイッチ状態を判断することを特徴とする。
請求項３に記載の発明は、請求項１に記載のスイッチ回路において、前記第１の検出手段により検出した検出信号をデジタルデータに変換するＡ／Ｄコンバータを備え、前記Ａ／Ｄコンバータにより前記検出信号をＡ／Ｄ変換して複数の基準データと比較することで、前記第１及び第２のスイッチのスイッチ状態を判断することを特徴とする。
請求項４に記載の発明は、請求項１乃至請求項３の何れか一項に記載のスイッチ回路を備えている画像形成装置を特徴とする。
【発明の効果】
【０００５】
本発明によれば、第１のスイッチのオープン端子と第２のスイッチのオープン端子を接続する端子間抵抗を備えることで、２本の信号を追加するだけで第１及び第２のスイッチの状態を簡単に検知することが可能となる。
【発明を実施するための最良の形態】
【０００６】
以下、図面を参照して、本発明の実施形態を詳細に説明する。なお従来例と同一個所には同一符号を付して重複する説明は省略する。
図１（１）〜（４）は本発明の第１の実施形態に係るインターロックスイッチ回路の構成図である。この構成においては、第１のスイッチであるインターロックスイッチ３と第２のスイッチであるインターロックスイッチ４にオープン端子３−１と４−１がついており、両者はオープン端子間抵抗７にて接続されている。また第２のスイッチであるインターロックスイッチ４には、第２のプルダウン抵抗５を有し、インターロックスイッチ４の出力を検出する第２の検出手段である後段信号線８が接続されており信号Ａを出力する。
また第１のスイッチであるインターロックスイッチ３には、第１のプルダウン抵抗６を有し、インターロックスイッチ３の出力を検出する第１の検出手段である後段信号線９が接続されており信号Ｂを出力する。このインターロックスイッチ３の出力は信号Ｂによりモニタできると共にインターロックスイッチ４の出力は信号Ａによりモニタすることができる。
従って、信号Ａと信号Ｂのレベルをモニタすることで、図２に示すようにインターロックスイッチ３、インターロックスイッチ４の状態を判断することができる。ここで、状態Ｎｏ．４における信号Ｂのレベルは、電源電圧を抵抗７とプルダウン抵抗６で分圧したレベルになる。
よって、この分圧を判断することができれば、本実施形態のインターロックスイッチ回路において、インターロックスイッチ３、インターロックスイッチ４両方の状態を判断することが可能である。
【０００７】
図３は本発明の第２の実施形態に係るインターロックスイッチ回路の要部構成図である。信号Ｂは、図３に示すように、基準電圧１８Ｖのコンパレータ１１と、基準電圧６Ｖのコンパレータ１２に接続される。
図１において、電源２４Ｖ、抵抗７が１０ｋΩ、抵抗６が１０ｋΩとすると、信号Ｂの電圧は、図２において、信号ＢがＨの時は２４Ｖ、信号ＢがＬの時は０Ｖ、信号Ｂが分圧の時は１２Ｖとなる。
この時コンパレータ１１、１２の出力は、それぞれ、Ｈ／Ｈ、Ｌ／Ｈ、Ｌ／Ｌとなるので、それにより信号Ｂの状態を識別できる。従って、この信号Ｂの結果と信号Ａの結果から、インターロックスイッチ３、４の状態を判断することができる。
図４は本発明の第３の実施形態に係るインターロックスイッチ回路の要部構成図である。信号Ｂは、図４に示すように、Ａ／Ｄコンバータ１３に接続される。
図１において、電源２４Ｖ、抵抗７が１０ｋΩ、抵抗６が１０ｋΩとすると、信号Ｂの電圧は、図２において、信号ＢがＨの時は２４Ｖ、信号ＢがＬの時は０Ｖ、信号Ｂが分圧の時は１２Ｖとなる。
この値をＡ／Ｄコンバータで１３に識別することにより、信号Ｂの状態を識別できる。従って、この信号Ｂの結果と信号Ａの結果から、インターロックスイッチ３、４の状態を判断することができる。
従って、このような本実施の形態のインターロックスイッチ回路を画像形成装置に搭載することで、画像形成装置の信頼性を高めることができる。
【図面の簡単な説明】
【０００８】
【図１】本発明の第１の実施形態に係るインターロックスイッチ回路の構成図。
【図２】本発明によるインターロックスイッチの状態、信号、判断の対応を表で示す図。
【図３】本発明の第２の実施形態に係るインターロックスイッチ回路の要部構成図。
【図４】本発明の第３の実施形態に係るインターロックスイッチ回路の要部構成図。
【図５】第１の従来例に係るインターロックスイッチ回路の構成図。
【図６】第２の従来例に係るインターロックスイッチ回路の構成図。
【図７】従来例によるインターロックスイッチの状態、信号、判断の対応を表で示す図（その１）。
【図８】第３の従来例に係るインターロックスイッチ回路の構成図。
【図９】従来例によるインターロックスイッチの状態、信号、判断の対応を表で示す図（その２）。
【符号の説明】
【０００９】
３  前段のインターロックスイッチ、４  後段のインターロックスイッチ、５  プルダウン抵抗（後段プルダウン抵抗）、６  プルダウン抵抗（前段プルダウン抵抗）、７  オープン端子間抵抗、８  後段信号線、９  前段信号線
【図１】
2006301041.tif 000003
【図２】
2006301041.tif 000004
【図３】
2006301041.tif 000005
【図４】
2006301041.tif 000006
【図５】
2006301041.tif 000007
【図６】
2006301041.tif 000008
【図７】
2006301041.tif 000009
【図８】
2006301041.tif 000010
【図９】
2006301041.tif 000011